(57)【要約】【課題】  コピー印刷において、色紙に印刷された２色カラー原稿をＡＣＳカラー判定処理すると、３色（色紙の色＋２色プリントの２色）と認識されてしまうためフルカラーでコピー印刷されてしまう。【解決手段】  入力画像から、紙色の色範囲に含まれない画素の色種の分布をカウントしカラーモードを判定する。判定されたカラーモードに応じたトナーを使用して印刷を行う。【選択図】  図１５
2013183303.tif 000002
【特許請求の範囲】
【請求項１】
２色印刷が可能な画像形成装置の制御方法及びプログラムにおいて、
画像データの色情報から色種を取得する手段（図９、８０５、Ｓ１４０３）と、
画像データの紙色を規定する手段（Ｓ１５０３）と、
画像データの色情報と紙色を比較する手段（Ｓ１５０５）と、
前期比較結果で紙色の範囲に含まれない画素の色種の分布を取得する手段と（Ｓ１５０９）、
前記色種分布数からカラーモードを判定する手段（Ｓ１５１０、Ｓ１５１１、Ｓ１５１２）と、
前記カラーモードの判定が２色カラーであった時、２色原稿用の２色カラーコピー印刷を行う手段（Ｓ１６０９、Ｓ１６１０）と、
を有する事を特徴とする画像形成装置およびその制御方法。
【請求項２】
前記紙色を規定する手段は、画像データの余白エリア（１００１、Ｓ１５０２）を対象とすることを特徴とする請求項１に記載の画像処理装置。
【請求項３】
前記色情報から色種を取得した結果を、属性データに保管（図７）することを特徴とする請求項１に記載の画像処理装置。
【請求項４】
前記２色カラーコピー印刷手段は、色種データに基づいて使用するトナーの色数を制限（図１２（ｃ））することを特徴とする請求項１に記載の画像処理装置。
【発明の詳細な説明】
【技術分野】
【０００１】
本発明は２色印刷が可能な画像処理を行う画像処理方法及び画像処理装置、その制御方法及びプログラムに関するものである。
【背景技術】
【０００２】
デジタルカラー複合機などの画像処理装置では、スキャナユニットから入力された画像データをユーザが指定した１つの指定色（通常は、カラー色）と黒色のみで印刷する機能、即ち、２色カラーコピー機能を有するものがある。
【０００３】
この種の画像処理装置では、入力した画像データに対して無彩色判定を行い、無彩色であると判定された領域（無彩色領域）を黒色で印刷し、有彩色領域（無彩色領域以外の領域）を指定色で印刷する処理を行っている（例えば、特許文献１等参照）。
【０００４】
２色カラーコピー機能によって、目立たせたい色を指定色（例えばマゼンタ色）で印刷し、それ以外の色をブラック色で印刷することができ、フルカラー印刷に比べてトナーの消費量を抑えた２色原稿を印刷することができる。
【０００５】
また、スキャナユニットから入力された画像データが、カラー原稿か、モノクロ原稿かを判定するＡＣＳ（Auto Color Selection）機能を有した画像処理装置において、ＡＣＳ機能により２色カラー印刷された原稿（以下、２色原稿）を判定して処理する技術が提案されている（例えば、特許文献２等参照）。
【０００６】
また、ＡＣＳ機能の処理において、スキャナユニットから入力された画像データの用紙の地色を用いて、カラー原稿か、モノクロ原稿かを判定する地色ＡＣＳ機能の技術が提案されている（例えば、特許文献３等参照）。
【０００７】
以上の画像処理装置は、印刷の種類として、モノクロ印刷、２色印刷、カラー印刷など、トナーの消費量に相応した、料金に高低をつけた課金方法を採用する。
【先行技術文献】
【特許文献】
【０００８】
【特許文献１】特開２００７−９７１７１号公報
【特許文献２】特開２００８−２３６６６８号公報
【特許文献３】特開平９−２４７４７２号公報
【発明の概要】
【発明が解決しようとする課題】
【０００９】
しかしながら上述の従来技術には以下に示す問題点がある。
【００１０】
例えば、特許文献２の画像処理装置では、色紙を用いた２色原稿だと、色紙の色で１色、２色原稿のトナーの色で２色、合わせて３色としてカウントされる為、カラー印刷として処理される。
【００１１】
また、特許文献３の画像処理装置では、紙色を消去してカラー原稿か、モノクロ原稿かを判定するが、２色原稿の場合はカラー印刷として処理される。
【００１２】
すなわち、特許文献１、特許文献２のＡＣＳ機能は、何れも色紙を用いた２色原稿の場合はカラー原稿と判定するため、カラー印刷処理される事になる。
【００１３】
本発明は上記問題点に鑑み、色紙を用いた２色原稿であっても、モノクロ原稿か、２色原稿か、カラー原稿かを正しく判定するＡＣＳ機能を有した画像処理装置を提供する事を目的とする。
【課題を解決するための手段】
【００１４】
以上の点に鑑み、本発明によれば以下の手段を講ずることにより上記目的を達成するものである。
【００１５】
画像データの色情報から色種を取得する手段（図９、８０５、Ｓ１４０３）と、画像データの紙色を規定する手段（Ｓ１５０３）と、画像データの色情報と紙色を比較する手段（Ｓ１５０５）と、前期比較結果で紙色の範囲に含まれない画素の色種の分布を取得する手段と（Ｓ１５０９）、前記色種分布数からカラーモードを判定する手段（Ｓ１５１０、Ｓ１５１１、Ｓ１５１２）と、前記カラーモードの判定が２色カラーであった時、２色原稿用の２色カラーコピー印刷を行う手段（Ｓ１６０９、Ｓ１６１０）と、を有する事を特徴とする画像形成装置およびその制御方法。
【発明の効果】
【００１６】
以上説明したように本発明によれば、色紙を使用した２色原稿をＡＣＳ機能で色判定する場合であっても、カラー原稿と判定される事の無い２色カラーコピー可能な画像処理装置を得ることができる。
【図面の簡単な説明】
【００１７】
【図１】本発明の一実施形態としての典型的な画像形成装置のブロック図
【図２】本発明の一実施形態としての典型的な画像形成装置の概略構成図
【図３】本発明の一実施形態としての制御装置部のブロック図
【図４】本発明の一実施形態としての出力用の画像処理部を示すブロック図
【図５】本発明の一実施形態としてのコピー設定時の操作部表示の一例
【図６】本発明の一実施形態としての２色カラーモード設定時の操作部表示の一例
【図７】本発明の一実施形態としての画像データの属性データを示す一例
【図８】本発明の一実施形態としての入力用の画像処理部を示すブロック図
【図９】本発明の一実施形態としての画像データの色分布を示す一例
【図１０】本発明の一実施形態としての画像データの余白エリアを示す一例
【図１１（ａ）】本発明の一実施形態としての用色の色度の分布を示す一例
【図１１（ｂ）】本発明の一実施形態としての用色の明度の分布を示す一例
【図１２（ａ）】本発明の一実施形態としてのフルカラー時のγ補正部を示す図
【図１２（ｂ）】本発明の一実施形態としての２色カラー時のγ補正部を示す図
【図１２（ｃ）】本発明の一実施形態としてのＡＣＳ２色判定時のγ補正部を示す図
【図１３（ａ）】本発明の一実施形態としてのフルカラー出力時の出力マスキング部のマトリクス演算の一例
【図１３（ｂ）】本発明の一実施形態としての２色カラー出力時の出力マスキング部のマトリクス演算の一例
【図１４】コピー印刷処理のフローチャート
【図１５】ＡＣＳ判定処理のフローチャート
【図１６】出力画像処理のフローチャート
【図１７】フルカラー印刷処理時のγ補正処理のフローチャート
【図１８】２色カラー印刷処理時のγ補正処理のフローチャート
【図１９】ＡＣＳ２色判定時のγ補正処理のフローチャート
【発明を実施するための形態】
【００１８】
以下、本発明を実施するための最良の形態について図面を用いて説明する。
【００１９】
［実施例１］
本発明に関わる画像形成装置の一実施形態について図面を用いて説明する。なお、本発明はこの実施例に限るものではない。
【００２０】
＜画像形成装置の全体構成（図１）＞
図１は、本発明の実施例に関わる画像形成装置１００の全体構成である。
【００２１】
リーダー装置（リーダー部）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット（ＤＦユニット）２５０とで構成される。ＤＦユニット２５０は、オプションユニットで必ず必要とするものではない。
【００２２】
プリンタ装置（プリンタ部）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０である。
【００２３】
また、プリンタ部３００には、プリンタ部で出力された記録紙をスタック機能、シフト機能を有する排紙ユニット３３０が接続される。
【００２４】
制御装置（コントローラ部）１１０は、リーダー部２００、プリンタ部３００と電気的に接続され、さらにネットワーク４００を介して、コンピュータ１０１と接続されている。また、制御装置１１０は、リーダー部２００を制御して、原稿の画像データを読み込み、プリンタ部３００を制御して画像データを記録媒体に出力してコピー機能を提供する。
【００２５】
また、リーダー部２００から読み取った画像データを、コードデータに変換し、ネットワーク４００を介してコンピュータへ送信するスキャナ機能。コンピュータからネットワーク４００を介して受信したコードデータを画像データに変換し、プリンタ部３００に出力するプリンタ機能を提供する。
【００２６】
操作部１３０は、制御装置１１０に接続され、ハードボタンと、液晶タッチパネルで構成され、画像形成装置を操作するためのユーザＩ／Ｆを提供する。操作部１３０のハードボタンにはコピー操作を開始する為のスタートキーが配置されている。
【００２７】
図５は、コピー出力時の操作部の例である。５０１は、読み取った原稿をコピーする時のカラーモードを設定するカラーモードキー。カラーモードキー５０１は、「下三角」の記号を押すと、カラーモードのリストが展開表示される。カラーモードリストには、５０２、５０３、５０４、５０５の選択肢が表示されている。５０２は、「ＡＣＳ（自動カラー）」方式によるコピー処理を指定する選択肢。５０３は、「フルカラー」方式によるコピー処理を指定する選択肢。５０４は、「２色カラー」方式によるコピー処理を指定する選択肢。５０５は、「モノクロ」方式によるコピー処理を指定する選択肢である。５０４の「２色カラー」選択肢の「右三角」の記号を押すと、２色カラーで使用する色を指定する為の２色カラー出力設定画面が表示される。
【００２８】
図６は、２色カラー出力時の操作部の例である。６０１、６０２、６０３、６０４、６０５、６０６はフルカラー画像を任意の２色で出力する際の色味を選択する色味設定キー。６０１はブラック＋シアンで２色カラー出力を行う際に選択する。同様にして、６０２はブラック＋マゼンタ、６０３はブラック＋イエロー、６０４はブラック＋レッド、６０５はブラック＋グリーン、６０６はブラック＋ブルーで２色カラー出力を行う際に選択する。６０７は設定された２色カラー出力の色味を有効にして元の設定画面に戻る「戻る」キーである。６０８は２色カラーの設定を中止する「設定取消し」キーである。
【００２９】
＜画像形成装置の詳細（図２）＞
図２はリーダー部２００及びプリンタ部３００及び排紙ユニット３３０の断面図である。リーダー部の原稿給送ユニット２５０は原稿を先頭順に１枚ずつプラテンガラス２１１上へ搬送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、制御装置１１０へ転送される。
【００３０】
プリンタ部３００のレーザドライバ３２１はレーザー発光部３２２を駆動するものであり、制御装置１１０から出力された画像データに応じたレーザー光をレーザー発光部３２２に発光させる。このレーザー光は感光ドラム３２３に照射され、感光ドラム３２３にはレーザー光に応じた潜像が形成される。この感光ドラム３２３の潜像の部分には現像器３２４によって現像剤が付着される。そして、レーザー光の照射開始と同期したタイミングで、カセット３１１及びカセット３１２のいずれかから記録紙を給紙して転写部３２５へ搬送し、感光ドラム３２３に付着された現像剤を記録紙に転写する。現像剤の乗った記録紙は定着部３２６に搬送され、定着部３２６の熱と圧力により現像剤は記像紙に定着される。定着部３２６を通過した記録紙は排出ローラ３２７によって排出される。排紙ユニット３３０は、排出された記録紙を指定されたトレイにシフト出力することができる。
【００３１】
また、両面記録が設定されている場合は、排出ローラ３２７のところまで記録紙を搬送した後、排出ローラ３２７の回転方向を逆転させ、フラッパ３２８によって再給紙搬送路３２９へ導く。再給紙搬送路３２９へ導かれた記録紙は上述したタイミングで転写部３２５へ給紙される。
【００３２】
＜制御装置の説明（図３）＞
制御装置１１０の機能を、図３に示す制御装置のブロック図を基に説明する。
【００３３】
メインコントローラ１１１は、主にＣＰＵ１１２と、バスコントローラ１１３、各種Ｉ／Ｆコントローラ回路とから構成される。
【００３４】
ＣＰＵ１１２とバスコントローラ１１３は制御装置１１０全体の動作を制御するものであり、ＣＰＵ１１２はＲＯＭ１１４からＲＯＭ−Ｉ／Ｆ１１５を経由して読み込んだプログラムに基づいて動作する。
【００３５】
また、コンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３６】
ＤＲＡＭ１１６はＤＲＡＭ ―Ｉ／Ｆ１１７によってメインコントローラ１１１と接続されており、ＣＰＵ１１２が動作するためのワークエリアや、画像データを蓄積するための画像メモリとして使用される。
【００３７】
Ｉ／Ｏ制御部１２６には、リーダー部２００、プリンタ部３００の各ＣＰＵと制御コマンドを送受信するための調歩同期シリアル通信コントローラ１２７が２チャンネル装備されている。Ｉ／Ｏ制御部１２６と外部Ｉ／Ｆ回路１４０及び１４５は、Ｉ／Ｏバス１２８によって接続されている。
【００３８】
パネルＩ／Ｆ１３３は、ＬＣＤコントローラ１３２に接続され、操作部１３０上の液晶画面に表示を行うためのＩ／Ｆと、ハードキーやタッチパネルキーの入力を行うためのキー入力Ｉ／Ｆ１３１とから構成される。操作部１３０は液晶表示部と液晶表示部上に張り付けられたタッチパネル入力装置と、複数個のハードキーを有する。タッチパネルまたはハードキーにより入力された信号は前述したパネルＩ／Ｆ１３３を介してＣＰＵ１１２に伝えられ、液晶表示部はパネルＩ／Ｆ１３３から送られてきた画像データを表示するものである。液晶表示部には、本画像形成装置の操作における機能表示や画像データ等を表示する。
【００３９】
Ｅ−ＩＤＥインタフェース１６１は、外部記憶装置を接続するためのものである。このＩ／Ｆを介してハードディスクドライブ１６０が接続され、ハードディスク１６２へ画像データ及び画像データに付属した画像情報を記憶させたり、ハードディスク１６２から画像データを読み込み出力したりすることも可能である。
【００４０】
コネクタ１４２と１４７は、それぞれリーダー部２００とプリンタ部３００とに接続され、同調歩同期シリアルＩ／Ｆ（１４３,１４８）とビデオＩ／Ｆ（１４４,１４９）とから構成される。
【００４１】
スキャナＩ／Ｆ１４０は、コネクタ１４２を介してリーダー部２００と接続され、また、スキャナバス１４１によって入力画像処理ユニット１５０及びメインコントローラ１１１と接続されている。
【００４２】
図８は入力画像処理ユニット１５０のブロック図である。このブロック図により、入力画像処理について説明する。
【００４３】
まず、リーダー部２００のＣＣＤセンサで読み取られたデータは、Ａ／Ｄ変換された後にそれぞれ８ビット出力０〜２５５のＲ（レッド），Ｇ（グリーン），Ｂ（ブルー）信号として出力される。８０１は入力マスキング回路でＣＣＤセンサからの輝度信号を補正し、標準輝度信号に変換する。次に、８０２のフィルタ部で、入力信号の空間周波数の補正を行うことで、エッジ処理、平滑化処理を行う。次に、８０３のγ補正部では、画像データに対して濃度レベル補正が行われる。最後に、８０４のトリマス部で、スキャン画像の不要な部分に対してトリミング処理が施される。８０５のカラー判定部は、入力信号を例えばＬａｂ色空間の色値に変換し、図９に示すようなａｂ平面で俯瞰する事で、各画素の色種（イエロー、マゼンタ、シアン、レッド、グリーン、ブルー、ブラック）と、有彩色であるか無彩色であるかを判定する事が可能である。その判定結果をカラー判定信号（属性データの一部）として画像データに付随させる。
【００４４】
図７により画像データに付随している属性データについて説明する。属性データは、ビット０が画像の有無を識別するビット。ビット１はイメージオブジェクトであるかを識別するビット。ビット２はグラフィックスオブジェクトであるかを識別するビット。ビット３は文字オブジェクトであるかを識別するビット。ビット４はイエロー成分を含んでいるかを識別するビット。ビット５はマゼンタ成分を含んでいるかを識別するビット。ビット６はシアン成分を含んでいるかを識別するビット。ビット４〜６は、組み合わせにより、レッド、グリーン、ブルー、ブラックも識別する事ができる。例えば、レッドはイエロー成分とマゼンタ成分により再現可能なので、ビット４とビット５がＯＮとなる。同様にグリーンはビット４とビット６がＯＮとなる。同様にブルーはビット５と６がＯＮとなる。同様にブラックは  ビット４〜６が全てＯＮとなる。ビット７は黒成分以外を含む有彩色であるか、黒成分のみを含む無彩色であるかを識別するビットである。
【００４５】
スキャナバス１４１からＤＲＡＭ１１６へのデータ転送は、バスコントローラ１１３によって制御される。
【００４６】
プリンタＩ／Ｆ１４５は、コネクタ１４７を介してプリンタ部３００と接続され、また、プリンタバス１４６によって出力画像処理ユニット１５１を介してメインコントローラ１１１と接続される。メインコントローラ１１１から出力された画像データは、出力画像処理ユニット１５１で出力用の画像処理が施され、プリンタ部３００に出力される。プリンタＩ／Ｆ１４５は、プリンタ部３００から送られたビデオ制御信号をもとに生成した制御信号を、プリンタバス１４６に出力する機能を有する。
【００４７】
図４は出力画像処理ユニット１５１のブロック図である。このブロック図により、出力画像処理について説明する。
【００４８】
まず、スキャン画像やＰＤＬ画像が画像メモリから読み出されると、４０１の像域処理部で、画像データを構成する各画素がイメージを構成する画素なのか、グラフィックスを構成する画素なのか、文字を構成する画素なのかを各画素の画素値と周辺画素の画素値とに基づいて判定する。なお、どれにもあてはまらない画素は、白領域を構成している画素である。そして、その判定結果をオブジェクト判定信号（属性データの一部）として画像データに付随させる。
【００４９】
像域処理部で属性データが付加された画像は、４０２の下地処理部で画像の下地レベル補正処理が行われる。次に４０３の色調整部で操作部から指定された色相調整、彩度調整及び色空間圧縮等の画像処理が施され、次に４０４のＬＯＧ変換部でルックアップテーブルにより輝度→濃度変換が行われ、ＲＧＢの輝度信号はＹＭＣ（Ｙ＝イエロー、Ｍ＝マゼンタ、Ｃ＝シアン）の濃度信号に変換される。
【００５０】
次に４０５の出力マスキング部で、マトリクス演算が行われる。
【００５１】
このマトリクス演算式の例を図１３に示す。
【００５２】
図１３（ａ）は、フルカラー出力時のマトリクス演算を示している。フルカラー出力時は、ＹＭＣの各色に対して記録材ＹＭＣＢｋの特性に応じた係数が設定され、マトリクス演算することでＹＭＣＢｋ出力される。（Ｙ＝イエロー、Ｍ＝マゼンタ、Ｃ＝シアン、Ｂｋ＝ブラック）。
【００５３】
また、操作部より２色カラー機能が設定されている場合は、図１３（ｂ）のようにＹＭＣＢｋが全て同じデータの単色信号が出力されるような係数で設定され、マトリクス演算処理が行われる。
【００５４】
次に、４０６のγ補正部で指定された濃度に従ってγ処理が行われる。
【００５５】
図１２にγ補正部の処理を説明する。
【００５６】
γ補正部は、操作部にてフルカラー出力が設定されている場合と、２色カラー機能が設定されている場合と、ＡＣＳ機能で２色判定されている場合で、係数及びアトリビュートデコーダの設定が切り替る。
【００５７】
図１２（ａ）は、フルカラー出力時のγ補正部を示している。γ補正部は、文字オブジェクト用のγ補正部と、イメージオブジェクト、及びグラフィックスオブジェクト処理用のγ補正部の２バンクからなる。γ補正部には属性データが入力され、属性データのビット１〜３の情報をアトリビュートデコーダが参照する。アトリビュートデコーダは、画像データのうち文字オブジェクトの属性データが設定されている画素はＢａｎｋ１のγ補正部に切り替える。また、イメージオブジェクト、及びグラフィックスオブジェクトの属性データが設定されている画素はＢａｎｋ２のγ補正部に切り替える。
【００５８】
図１２（ｂ）は、２色カラー出力時のγ補正部を示している。γ補正部は、２色カラーのうち無彩色（ブラック）処理用のγ補正部と、有彩色（ブラック以外。本例ではＭ（マゼンタ））処理用のγ補正部の２バンクからなる。無彩色の画素で利用されるＢａｎｋ１のγ係数ではＢｋ（ブラック）以外が０となるような係数が設定され、Ｂｋ以外の色が出力されない。また、有彩色の画素で利用されるＢａｎｋ２のγ係数ではマゼンタ以外が０となるような係数が設定され、マゼンタ以外の色は出力されない。γ補正部には属性データが入力され、属性データのビット７の情報をアトリビュートデコーダが参照する。アトリビュートデコーダは、ビット７の有彩色／無彩色のビットを参照するような設定がされ、無彩色はＢａｎｋ１に、有彩色はＢａｎｋ２のγ補正部に切り替える。
【００５９】
図１２（ｃ）は、ＡＣＳ機能で２色判定されている場合のγ補正部を示している。γ補正部は、２色カラーのうち無彩色（ブラック）処理用のγ補正部と、有彩色（イエロー、マゼンタ、シアン、レッド、グリーン、ブルー）処理用のγ補正部と、画像データなし部用のγ補正部の合計８バンクからなる。無彩色の画素で利用されるＢａｎｋ１のγ係数ではＢｋ（ブラック）以外が０となるような係数が設定され、Ｂｋ以外の色が出力されない。また、有彩色の画素で利用されるＢａｎｋ２〜７のγ係数は、色種に対応した係数が設定されている。例えば、属性データのビット４＝０、ビット５＝１、ビット６＝０の時に使用されるＢａｎｋ３には、マゼンタ以外が０となるような係数が設定され、マゼンタ以外の色は出力されない。また、画像データなし部用の画素で利用されるＢａｎｋ８のγ係数は、全ての色が０となるような係数が設定され、色は出力されない。γ補正部には属性データが入力され、属性データのビット情報をアトリビュートデコーダが参照する。アトリビュートデコーダは、ビット０の画像あり／画像なしのビットと、ビット４〜６の色種（イエロー、マゼンタ、シアン）のビットと、ビット７の有彩色／無彩色のビットを参照し、条件にあったγ補正部に切り替える。
【００６０】
以上説明したガンマ補正部の処理により、属性データの設定に応じた色で出力される。最後に４０７のトリミング部でプリントの印刷可能領域にあわせてトリミング処理が行われる。
【００６１】
出力画像処理された画像データは、プリンタバス１４６、ビデオＩ／Ｆ１４９を経由して、プリンタ部３００へＤＭＡ転送され、プリンタ部３００で用紙に出力される。
【００６２】
＜コピー印刷（図１４）＞
次に、本実施例に係る画像処理装置で行うコピー印刷処理について、図１４のフローチャートを用いて詳細に説明する。なお、コピー印刷が開始される前には、あらかじめ、図５に示すコピー設定画面にて、カラーモードについて、ＡＣＳ（自動カラー）であるか、フルカラーであるか、２色カラーであるか、モノクロであるかが選択される。また、２色カラーであった場合は、図６に示す２色カラー設定画面において、使用する２色の色味が選択されているものとする。
【００６３】
ステップ１４０１で、ユーザにより、操作部１３０上のスタートキーが押下されると、コピー印刷処理が開始される。
【００６４】
ステップ１４０２で、ＣＰＵ１１２はリーダー装置２００にセットされた原稿の読み取りを指示し、リーダー装置２００は原稿を読み取る。読み取りにより得られた画像データは、入力画像処理ユニット１５０に送信される。
【００６５】
ステップ１４０３で、ＣＰＵ１１２は入力画像処理ユニット１５０に画像データの補正処理を指示し、入力画像処理ユニット１５０は画像データに対して輝度信号の補正、空間周波数の補正、濃度レベル補正、トリミング処理、カラー判定処理を行いＤＲＡＭ１１６に蓄積する。
【００６６】
ステップ１４０４で、ＣＰＵ１１２は操作部１３０で選択されたカラーモードの設定内容を確認する。「ＡＣＳ（自動カラー）」に設定されている場合はステップ１４０５に進み、それ以外に設定されている場合はステップ１４０６に進む。
【００６７】
ステップ１４０５で、ＣＰＵ１１２はＤＲＡＭ１１６に蓄積されている画像データの色種を判定するＡＣＳ判定処理を実行し、判定結果として「モノクロ」、「２色カラー」、「フルカラー」を返す。
【００６８】
ステップ１４０６で、ＣＰＵ１１２は出力画像処理ユニット１５１に画像データの補正処理を指示し、出力画像処理ユニット１５１は入力された画像データに対してプリンタ装置３００で印刷できる形式にする為の各種処理を行う。出力画像処理が施された画像データは、プリンタ装置３００に送信される。出力画像処理ユニット１５１の詳細は後述する。
【００６９】
ステップ１４０７で、プリンタ装置３００は、受信した画像データを用紙上に形成する処理を実行する。
【００７０】
＜ＡＣＳ判定処理（図１５）＞
次に、本実施例に係るＡＣＳ判定処理について、図１５のフローチャートを用いて詳細に説明する。
【００７１】
ステップ１５０１で、ＣＰＵ１１２はＤＲＡＭ１１６に蓄積されている画像データの余白エリアの読込みが完了したかを確認する。なお、画像データは画素毎に読込まれる。完了していない場合はステップ１５０２に進み、完了している場合はステップ１５０３に進む。
【００７２】
ステップ１５０２で、ＣＰＵ１１２はＤＲＡＭ１１６に蓄積されている画像データの余白エリア１００１の輝度信号を色情報としてワークエリアに保管する。色情報は余白エリア全ての画素について蓄積される。なお、余白エリア１００１は画像データの周辺部の事を示す。具体的には、図１０に示す斜線部分を余白エリア１００１と呼ぶ。余白エリアの幅は周囲２ｍｍに設定する。レーザープリンタの余白は５ｍｍ〜３ｍｍである製品が多く、出力時のズレを最大１ｍｍ見込んで余白を２ｍｍとする。余白エリアの範囲は用紙サイズ毎に異なる設定にしても良い。また、任意に指定可能にしても良い。また、画像データ端部から、輝度信号が変化するまでの幅を検出して余白エリアを動的に設定しても良い。また、両面印刷された原稿の場合は、表面と、裏面の２面の輝度信号が近似している領域を余白エリアと設定するようにしても良い。なお、図１０の中央部分を印字エリア１００２と呼ぶ。
【００７３】
ステップ１５０３で、ＣＰＵ１１２はＤＲＡＭ１１６のワークエリアに保管されている余白エリア１００１の色情報の分布範囲を元に紙色を規定する。紙色の規定方法の例として、色情報をＬａｂ色空間として規定する方法がある。例えば、図１１（ａ）に示すａｂ平面での分布範囲から色度範囲１１０１を規定する。又、図１１（ｂ）に示すＬｃ断面（明度・彩度軸の断面）での分布範囲から明度範囲１１０２を規定する。色度範囲１１０１と、明度範囲１１０２は、余白エリア１００１の画像データの実測データ群を包含する範囲として、マージンを付けて規定したのでも良い。これによりＬａｂ色空間として立体的な範囲を持った紙色を規定する事が可能である。
【００７４】
ステップ１５０４で、ＣＰＵ１１２はＤＲＡＭ１１６に蓄積されている画像データの読込みが完了したかを確認する。なお、画像データは画素毎に読込まれる。完了していない場合はステップ１５０５に進み、完了している場合はステップ１５０９に進む。
【００７５】
ステップ１５０５で、ＣＰＵ１１２はＤＲＡＭ１１６に蓄積されている画像データの輝度信号が、ワークエリアに保管されている紙色（例えば、色度範囲１１１と、明度範囲１１２に示すような色範囲）の範囲に含まれているかを確認する。画像データが紙色の範囲に含まれている場合はステップ１５０６に進み、含まれていない場合はステップ１５０７に進む。
【００７６】
ステップ１５０６で、ＣＰＵ１１２はＤＲＡＭ１１６に蓄積されている画像データに付随している属性データの対象画素のビット０に０をセットする。
【００７７】
ステップ１５０７で、ＣＰＵ１１２はＤＲＡＭ１１６に蓄積されている画像データに付随している属性データの対象画素のビット０に１をセットする。
【００７８】
ステップ１５０８で、ＣＰＵ１１２はＤＲＡＭ１１６に蓄積されている画像データに付随している属性データのビット６〜４の情報を色種毎にカウントする。例えば、イエローのカウンタはｂｉｔ６／５／４＝０／０／１の時にアップする。レッドのカウンタはｂｉｔ６／５／４＝０／１／１の時にアップする。なお、色種カウンタは、イエロー、マゼンタ、シアン、レッド、グリーン、ブルー、ブラックの７種類用意されている。
【００７９】
ステップ１５０９で、ＣＰＵ１１２は色種カウンタ値の分布数を確認する。ブラック以外の色種カウンタの値が全て０の場合はステップ１５１０に進む。カウンタ値＝０の色種が５種以上の場合はステップ１５１１に進む。それ以外の場合はステップ１５１２に進む。
【００８０】
ステップ１５１０で、ＣＰＵ１１２はＡＣＳ判定結果フラグに“モノクロ”をセットする。
【００８１】
ステップ１５１１で、ＣＰＵ１１２はＡＣＳ判定結果フラグに“２色カラー”をセットする。
【００８２】
ステップ１５１２で、ＣＰＵ１１２はＡＣＳ判定結果フラグに“フルカラー”をセットする。
【００８３】
以上によりＡＣＳ判定処理を終了する。
【００８４】
＜出力画像処理（図１６）＞
次に、本実施例に係る出力画像処理ユニットで行う出力画像処理について、図１６のフローチャートを用いて詳細に説明する。
【００８５】
ステップ１６０１で、出力画像処理ユニット１５１は像域処理部４０１に入力された画像データの属性データの解析を指示し、像域処理部４０１は画像データを解析し画素毎に８ビットの属性データを付加する。属性データが付加された画像データは、下地処理部４０２に送信される。
【００８６】
ステップ１６０２で、出力画像処理ユニット１５１は下地処理部４０２に入力された画像データの下地レベルの補正を指示し、下地処理部４０２は画像データを解析し下地レベルの補正処理を行う。下地レベルの補正処理が行われた画像データは、色調整部４０３に送信される。
【００８７】
ステップ１６０３で、出力画像処理ユニット１５１は色調整部４０３に入力された画像データの色調整を指示し、色調整部４０３は操作部１３０から指定された設定に基づいて色調整処理を行う。色調整処理が行われた画像データは、ＬＯＧ変換部４０４に送信される。
【００８８】
ステップ１６０４で、出力画像処理ユニット１５１はＬＯＧ変換部４０４に入力された画像データのＬＯＧ変換処理を指示し、ＬＯＧ変換部４０４はルックアップテーブルにより輝度→濃度変換を行う。濃度変換が行われた画像データは、出力マスキング部４０５に送信される。
【００８９】
ステップ１６０５で、出力画像処理ユニット１５１は操作部１３０で選択されたコピーモードの設定内容を確認する。「フルカラーコピー」に設定されている場合はステップ１６０７に進み、「２色カラーコピー」に設定されている場合はステップ１６１１に進む。「ＡＣＳ（自動カラー）」に設定されている場合はステップ１６０６に進む。
【００９０】
ステップ１６０６で、出力画像処理ユニット１５１はＡＣＳ判定結果フラグの値を確認する。「フルカラーコピー」に設定されている場合はステップ１６０７に進み、「２色カラーコピー」に設定されている場合はステップ１６１１に進む。「ＡＣＳ（自動カラー）」に設定されている場合はステップ１６０９に進む。
【００９１】
ステップ１６０７で、出力画像処理ユニット１５１は出力マスキング部４０５に入力された画像データのマスキング処理を指示し、出力マスキング部４０５は記録材の特性係数を用いて、ＹＭＣ形式からＹＭＣＢｋ形式にマトリクス演算による変換を行う。ＹＭＣＢｋ形式に変換された画像データは、γ補正部４０６に送信される。
【００９２】
ステップ１６０８で、出力画像処理ユニット１５１はγ補正部４０６に入力された画像データのγ補正処理を指示し、γ補正部４０６は画像データに付加されている属性データを用いて、画素毎にフルカラー用のγ補正処理を行う。フルカラー用のγ補正処理が行われた画像データは、トリミング部に送信される。γ補正部のフルカラー用処理の詳細は後述する。
【００９３】
ステップ１６０９で、出力画像処理ユニット１５１は出力マスキング部４０５に入力された画像データのマスキング処理を指示し、出力マスキング部４０５は単色信号となる係数を用いて、ＹＭＣ形式からＹＭＣＢｋ形式にマトリクス演算による変換を行う。ＹＭＣＢｋ形式に変換された画像データは、γ補正部４０６に送信される。
【００９４】
ステップ１６１０で、出力画像処理ユニット１５１はγ補正部４０６に入力された画像データのγ補正処理を指示し、γ補正部４０６は画像データに付加されている属性データを用いて、画素毎にＡＣＳ２色判定用のγ補正処理を行う。ＡＣＳ２色判定用のγ補正処理が行われた画像データは、トリミング部４０７に送信される。γ補正部のＡＣＳ２色判定用の処理の詳細は後述する。
【００９５】
ステップ１６１１で、出力画像処理ユニット１５１は出力マスキング部４０５に入力された画像データのマスキング処理を指示し、出力マスキング部４０５は単色信号となる係数を用いて、ＹＭＣ形式からＹＭＣＢｋ形式にマトリクス演算による変換を行う。ＹＭＣＢｋ形式に変換された画像データは、γ補正部４０６に送信される。
【００９６】
ステップ１６１２で、出力画像処理ユニット１５１はγ補正部４０６に入力された画像データのγ補正処理を指示し、γ補正部４０６は画像データに付加されている属性データを用いて、画素毎に２色カラー用のγ補正処理を行う。２色カラー用のγ補正処理が行われた画像データは、トリミング部４０７に送信される。γ補正部の２色カラー用の処理の詳細は後述する。
【００９７】
ステップ１６１３で、出力画像処理ユニット１５１はトリミング部４０７に入力された画像データのトリミング処理を指示し、トリミング部４０７はプリントの印字可能領域にあわせて画像データのトリミングを行い、出力画像処理を終了する。
【００９８】
＜フルカラー用γ補正処理（図１７）＞
次に、本実施例に係る出力画像処理ユニットのγ補正部４０６で行うフルカラー用のγ補正処理について、図１７のフローチャートを用いて詳細に説明する。
【００９９】
ステップ１７０１で、出力画像処理ユニット１５１はγ補正部４０６にフルカラー用のγ補正係数の設定を指示し、γ補正部はフルカラー用のγ補正係数とアトリビュートデコーダの設定を行う。γ補正係数は、属性データ毎にＢａｎｋ１とＢａｎｋ２に最適な係数が設定される。
【０１００】
ステップ１７０２で、出力画像処理ユニット１５１は画像データに付加されている属性データのＢｉｔ１〜３の内容を確認する。属性データの内容が、文字属性（Ｂｉｔ３＝ＯＮ）に設定されている場合はステップ１７０３に進む。イメージ属性（Ｂｉｔ１＝ＯＮ）、又はグラフィックス属性（Ｂｉｔ２＝ＯＮ）に設定されている場合はステップ１７０４に進む。
【０１０１】
ステップ１７０３で、出力画像処理ユニット１５１はγ補正部４０６に入力された画像データのγ補正処理を指示し、γ補正部４０６はＢａｎｋ１を使用してγ補正を行う。
【０１０２】
ステップ１７０４で、出力画像処理ユニット１５１はγ補正部４０６に入力された画像データのγ補正処理を指示し、γ補正部４０６はＢａｎｋ２を使用してγ補正を行う。
【０１０３】
以上によりフルカラー用のγ補正処理を終了する。
【０１０４】
＜２色カラー用γ補正処理（図１８）＞
次に、本実施例に係る出力画像処理ユニットのγ補正部４０６で行う２色カラー用のγ補正処理について、図１８のフローチャートを用いて詳細に説明する。
【０１０５】
ステップ１８０１で、出力画像処理ユニット１５１はγ補正部４０６に２色カラー用のγ補正係数の設定を指示し、γ補正部４０６は２色カラー用のγ補正係数とアトリビュートデコーダの設定を行う。このときγ補正係数は、属性データ毎にＢａｎｋ１とＢａｎｋ２に最適な係数が設定される。
【０１０６】
ステップ１８０２で、出力画像処理ユニット１５１は画像データに付加されている属性データのＢｉｔ７の内容を確認する。属性データの内容が、無彩色（Ｂｉｔ７＝ＯＦＦ）に設定されている場合はステップ１８０３に進み、有彩色（Ｂｉｔ７＝ＯＮ）に設定されている場合はステップ１８０４に進む。
【０１０７】
ステップ１８０３で、出力画像処理ユニット１５１はγ補正部４０６に入力された画像データのγ補正処理を指示し、γ補正部４０６はＢａｎｋ１を使用してγ補正を行う。
【０１０８】
ステップ１８０４で、出力画像処理ユニット１５１はγ補正部４０６に入力された画像データのγ補正処理を指示し、γ補正部４０６はＢａｎｋ２を使用してγ補正を行う。
【０１０９】
以上により２色カラー用のγ補正処理を終了する。
【０１１０】
＜ＡＣＳ２色判定用γ補正処理（図１９）＞
次に、本実施例に係る出力画像処理ユニットのγ補正部４０６で行うＡＣＳ２色判定用のγ補正処理について、図１９のフローチャートを用いて詳細に説明する。
【０１１１】
ステップ１９０１で、出力画像処理ユニット１５１はγ補正部４０６にＡＣＳ２色判定用2のγ補正係数の設定を指示し、γ補正部４０６はＡＣＳ２色判定用のγ補正係数とアトリビュートデコーダの設定を行う。このときγ補正係数は、属性データ毎にＢａｎｋ１〜８に最適な係数が設定される。
【０１１２】
ステップ１９０２で、出力画像処理ユニット１５１は画像データに付加されている属性データのＢｉｔ０の内容を確認する。属性データの内容が、画像なし（Ｂｉｔ０＝ＯＦＦ）に設定されている場合はステップ１９０３に進み、画像あり（Ｂｉｔ０＝ＯＮ）に設定されている場合はステップ１９０４に進む。
【０１１３】
ステップ１９０３で、出力画像処理ユニット１５１はγ補正部４０６に入力された画像データのγ補正処理を指示し、γ補正部４０６はＢａｎｋ８を使用してγ補正を行う。
【０１１４】
ステップ１９０４で、出力画像処理ユニット１５１は画像データに付加されている属性データのＢｉｔ７の内容を確認する。属性データの内容が、無彩色（Ｂｉｔ７＝ＯＦＦ）に設定されている場合はステップ１９０５に進み、有彩色（Ｂｉｔ７＝ＯＮ）に設定されている場合はステップ１９０６に進む。
【０１１５】
ステップ１９０５で、出力画像処理ユニット１５１はγ補正部４０６に入力された画像データのγ補正処理を指示し、γ補正部４０６はＢａｎｋ１を使用してγ補正を行う。
【０１１６】
ステップ１９０６で、出力画像処理ユニット１５１は画像データに付加されている属性データのＢｉｔ６〜４の内容を確認する。属性データの内容が、イエロー（Ｂｉｔ６＝ＯＦＦ、Ｂｉｔ６＝ＯＦＦ、Ｂｉｔ６＝ＯＮ）に設定されている場合はステップ１９０７に進む。属性データの内容が、マゼンタ（Ｂｉｔ６＝ＯＦＦ、Ｂｉｔ６＝ＯＮ、Ｂｉｔ６＝ＯＦＦ）に設定されている場合はステップ１９０８に進む。属性データの内容が、シアン（Ｂｉｔ６＝ＯＮ、Ｂｉｔ６＝ＯＦＦ、Ｂｉｔ６＝ＯＦＦ）に設定されている場合はステップ１９０９に進む。属性データの内容が、レッド（Ｂｉｔ６＝ＯＦＦ、Ｂｉｔ６＝ＯＮ、Ｂｉｔ６＝ＯＮ）に設定されている場合はステップ１９１０に進む。属性データの内容が、グリーン（Ｂｉｔ６＝ＯＮ、Ｂｉｔ６＝ＯＦＦ、Ｂｉｔ６＝ＯＮ）に設定されている場合はステップ１９１１に進む。属性データの内容が、ブルー（Ｂｉｔ６＝ＯＮ、Ｂｉｔ６＝ＯＮ、Ｂｉｔ６＝ＯＦＦ）に設定されている場合はステップ１９１２に進む。それ以外に設定されている場合は、ＡＣＳ２色判定用のγ補正処理を終了する。
【０１１７】
ステップ１９０７で、出力画像処理ユニット１５１はγ補正部４０６に入力された画像データのγ補正処理を指示し、γ補正部４０６はＢａｎｋ２を使用してγ補正を行う。
【０１１８】
ステップ１９０８で、出力画像処理ユニット１５１はγ補正部４０６に入力された画像データのγ補正処理を指示し、γ補正部４０６はＢａｎｋ３を使用してγ補正を行う。
【０１１９】
ステップ１９０９で、出力画像処理ユニット１５１はγ補正部４０６に入力された画像データのγ補正処理を指示し、γ補正部４０６はＢａｎｋ４を使用してγ補正を行う。
【０１２０】
ステップ１９１０で、出力画像処理ユニット１５１はγ補正部４０６に入力された画像データのγ補正処理を指示し、γ補正部４０６はＢａｎｋ５を使用してγ補正を行う。
【０１２１】
ステップ１９１１で、出力画像処理ユニット１５１はγ補正部４０６に入力された画像データのγ補正処理を指示し、γ補正部４０６はＢａｎｋ６を使用してγ補正を行う。
【０１２２】
ステップ１９１２で、出力画像処理ユニット１５１はγ補正部４０６に入力された画像データのγ補正処理を指示し、γ補正部４０６はＢａｎｋ７を使用してγ補正を行う。
【０１２３】
以上によりＡＣＳ２色判定用のγ補正処理を終了する。
【０１２４】
以上により、色紙に印刷された２色カラー原稿をＡＣＳ（自動カラー）モードでコピーする場合であっても、フルカラーコピーされる事無く、２色カラーコピー印刷で処理する事が可能となる。
【符号の説明】
【０１２５】
１００  画像形成装置
２００  リーダー装置
３００  プリンタ装置
【図１】
2013183303.tif 000003
【図２】
2013183303.tif 000004
【図３】
2013183303.tif 000005
【図４】
2013183303.tif 000006
【図５】
2013183303.tif 000007
【図６】
2013183303.tif 000008
【図７】
2013183303.tif 000009
【図８】
2013183303.tif 000010
【図９】
2013183303.tif 000011
【図１０】
2013183303.tif 000012
【図１１（ａ）】
2013183303.tif 000013
【図１１（ｂ）】
2013183303.tif 000014
【図１２（ａ）】
2013183303.tif 000015
【図１２（ｂ）】
2013183303.tif 000016
【図１２（ｃ）】
2013183303.tif 000017
【図１３（ａ）】
2013183303.tif 000018
【図１３（ｂ）】
2013183303.tif 000019
【図１４】
2013183303.tif 000020
【図１５】
2013183303.tif 000021
【図１６】
2013183303.tif 000022
【図１７】
2013183303.tif 000023
【図１８】
2013183303.tif 000024
【図１９】
2013183303.tif 000025